(57)【要約】【課題】  ルーフィングを横貼施工に代わって、屋根勾配に沿った方向に縦貼施工し、万一屋根材の下へ雨水が侵入したとしても速やかに排水し、雨漏りが生じることがない屋根の防水構造を提案する。【解決手段】  屋根材１の下地である野地板２に、長尺シート状のルーフィング３を敷き詰めて面貼施工し、屋根材１と野地板２との間に防水層を形成する屋根の防水構造であって、野地板２上に屋根勾配に沿って通気胴縁５を適宜の間隔で設け、ルーフィング３を、通気胴縁５の間に弛みを持たせて側縁を通気胴縁５に止め、屋根勾配に沿った方向に並列させて面貼りし、屋根材１を通気胴縁５に架設したことを特徴とする。【選択図】  図１
2013238004.tif 000002
【特許請求の範囲】
【請求項１】
屋根材１の下地である野地板２に、長尺シート状のルーフィング３を敷き詰めて面貼施工し、屋根材１と野地板２との間に防水層を形成する屋根の防水構造であって、
野地板２上に屋根勾配に沿って通気胴縁５を適宜の間隔で設け、ルーフィング３を、通気胴縁５の間に弛みを持たせて側縁を通気胴縁５に止め、屋根勾配に沿った方向に並列させて面貼りし、屋根材１を通気胴縁５に架設したことを特徴とする屋根の防水構造。
【請求項２】
ルーフィング３を、屋根勾配の一方の下端から棟を跨いで他方の下端へ至る一枚のシートで貼った請求項１に記載の屋根の防水構造。
【発明の詳細な説明】
【技術分野】
【０００１】
この発明は、屋根材の下地である野地板に、ルーフィングと称する防水シート材を施工する屋根の防水構造に関するものである。
【背景技術】
【０００２】
木造住宅等の屋根の防水構造として、屋根材の下地である野地板にルーフィングを面貼施工し、屋根材と野地板との間に防水層を形成する手段が一般に用いられている。ルーフィングは、薄膜防水素材を幅１ｍｍ程の長尺シート状に形成したものが汎用され、従来、図８に示すように施工されている。図に示すように、ルーフィング３は、屋根勾配の方向に対して直交方向（水平方向）に横貼りされ、屋根勾配の下端から貼り始め、側縁を１０ｃｍ程重ねて順次上方へ貼り進め、ステープルを打設して固定し、野地板２に敷き詰めて面貼施工されている。特許文献１に示すように、側縁に粘着剤を予め線状又は帯状に付設した粘着剤付ルーフィングも提案され、これはステープルの打設作業を省いた施工を可能としている。
【０００３】
このようにしてルーフィング３を野地板２に面貼施工し、この上から瓦、スレート、金属板等の任意の屋根材を施工する。その結果、屋根材と野地板２との間にルーフィング３による防水層が形成され、万一屋根材の下へ雨水が浸入したとしても、ルーフィング３によって遮断することで、２次的に雨漏りを防止することを目的とした屋根の防水構造である。
【先行技術文献】
【特許文献】
【０００４】
【特許文献１】特開２００２−８１１７９号公報
【発明の概要】
【発明が解決しようとする課題】
【０００５】
こうした従来の屋根の防水構造において、屋根材の下へ雨水が侵入すると防水層に滞留し、ルーフィングの重なり部分で毛管現象によって吸い上げられ、防水層を通過して雨漏りを生じやすい課題がある。ルーフィングをステープルで固定した場合は、ステープルの打設孔が雨漏りの原因となる。さらに、夏季の小屋裏の熱気を排気するために棟換気装置を設ける場合、ルーフィングに排気用の開孔が形成され、雨漏りのリスクが増大する。また、屋根材とルーフィングが密着し、屋根材の蓄熱や冷却が直に野地板に伝わり、冬季の屋根材裏面の凍結が密着箇所ではルーフィング裏面に生じ、これが長期の間に野地板を侵食するなど、快適性や耐久性にも課題がある。
【０００６】
この発明は、これらの課題を解決することを目的とするもので、ルーフィングを横貼施工に代わって、屋根勾配に沿った方向に縦貼施工し、万一屋根材の下へ雨水が侵入したとしても速やかに排水し、雨漏りが生じることがない屋根の防水構造を提案することを目的とするものである。また、屋根材と野地板との間に通気層を形成し、快適性、耐久性に優れた屋根の防水構造を提案することを目的とするものである。
【課題を解決するための手段】
【０００７】
上記の目的を達成するため、この発明は、屋根材１の下地である野地板２に、長尺シート状のルーフィング３を敷き詰めて面貼施工し、屋根材１と野地板２との間に防水層を形成する屋根の防水構造であって、野地板２上に屋根勾配に沿って通気胴縁５を適宜の間隔で設け、ルーフィング３を、通気胴縁５の間に弛みを持たせて側縁を通気胴縁５に止め、屋根勾配に沿った方向に並列させて面貼りし、屋根材１を通気胴縁５に架設したことを特徴とするものである。
【０００８】
また、ルーフィング３を、屋根勾配の一方の下端から棟を跨いで他方の下端へ至る一枚のシートで貼るものである。
【発明の効果】
【０００９】
この発明の屋根の防水構造は、野地板２上に屋根勾配に沿って通気胴縁５を適宜の間隔で設け、ルーフィング３を、通気胴縁５の間に弛みを持たせて側縁を通気胴縁５に止め、屋根勾配に沿った方向に並列させて面貼りしたので、図７に示すように、各列のルーフィング３は、隣接する通気胴縁５の間で凹状に弛み、屋根勾配に沿った雨樋状の溝列を屋根材１の下層に形成する。その結果。屋根材の下へ雨水が侵入したとしても、この溝列で雨水は速やかに排水され、雨水が防水層に滞留することがなく、雨漏りの発生を防止することができる。
【００１０】
また、側縁を通気胴縁５に止めてルーフィング３を縦貼りするので、ルーフィング３をステープルで固定した場合も、ステープルの打設孔が野地板２に至らず、打設孔の位置も溝列より上位であるから、雨漏りのリスクは遥かに小さいものである。
【００１１】
また、屋根材１と野地板２との間に、通気胴縁５の厚みに相当する通気層が形成され、この通気層は、ルーフィング３で上下２層に区画され、屋根勾配の下端で開口して常時新鮮な空気が供給され、屋根構造の排気、排熱が促進される。したがって、屋根材１の蓄熱や冷却が直に野地板２に伝わることがなく、快適性に優れるとともに、屋根材１の直下に通気層が存在するので、棟換気装置を設ける場合もルーフィング３に排気用の開孔を形成する必要もない。また、冬季の屋根材１裏面の凍結及びその融解水も溝列から速やかに排水され、野地板２を常に乾燥状態に保つことができ、耐久性の向上を図ることができる。
【００１２】
また、ルーフィング３を、屋根勾配の一方の下端から棟を跨いで他方の下端へ至る一枚のシートで貼ることで、継ぎ目の無い施工とし、毛管現象による継ぎ目からの雨水の漏れのリスクを払拭することができる。
【図面の簡単な説明】
【００１３】
【図１】この発明の実施形の一部の斜視図。
【図２】施工手順を示す説明図で、垂木に野地板を貼った状態の斜視図。
【図３】通気胴縁を設けた状態を示す斜視図。
【図４】ルーフィングの施工途中を示す斜視図。
【図５】図４の状態から次列のルーフィングの施工途中を示す斜視図。
【図６】ルーフィングを施工後の建物全体を示す斜視図。
【図７】屋根の防水構造の断面図。
【図８】従来のルーフィングの施工方法を示す建物全体の斜視図。
【発明を実施するための形態】
【００１４】
以下にこの発明の実施形態について、図面に基づいて具体的に説明する。
図１に、この発明の屋根の防水構造の実施例の一部を示し、図２から６に、その施工手順を示す。図に示すように、野地板２にルーフィング３が面貼施工され、屋根材１と野地板２との間にルーフィング３による防水層を形成している。
【００１５】
この屋根の防水構造の施工手順を説明する。最初に、従来施工と同様に、屋根勾配に沿って適宜の間隔で設けた垂木４に野地板２を貼り、屋根材１の下地を形成する。図２に、野地板２が貼られた状態を示す。
【００１６】
次に、図３に示すように、角材を用い、野地板２上に屋根勾配に沿って通気胴縁５を適宜の間隔で設ける。本例では、通気胴縁５の間隔を垂木４の間隔（一般的には４５．５ｃｍ）と合致させている。
【００１７】
次に、ルーフィング３を施工する。ルーフィング３は、幅１ｍｍ程の汎用品が用いられ、１本置きの通気胴縁５に左右の側縁を止め、通気胴縁５の間に弛みを持たせて屋根勾配に沿った方向に縦貼りする。ルーフィング３の施工途中の状態を図４に示し、この状態から次列のルーフィング３の施工途中の状態を図５に示す。図に示すように、既に貼られたルーフィング３ａの側縁に、次列のルーフィング３ｂの側縁を通気胴縁５上で重ね、ステープルを打設して固定し、縦貼りする。このように、屋根勾配に沿った方向に並列させて順次貼り、ルーフィング３を敷き詰めて面貼りする。図６に、ルーフィング３を施工後の建物全体を示す。各列のルーフィング３は、屋根勾配の一方の下端から棟を跨いで他方の下端へ至る一枚のシートで貼られ、列の途中で継ぎ目が無いように施工されている。
【００１８】
次に、任意の屋根材１を施工する。屋根材１は、通気胴縁５に架け渡す適宜の副資材を用いるなどして通気胴縁５に架設する。図７に、このようにして施工した屋根の防水構造の断面を示す。図に示すように、屋根材１と野地板２との間に通気胴縁５の厚みに相当する通気層が形成され、各列のルーフィング３は、隣接する通気胴縁５の間で凹状に弛み、屋根勾配に沿った雨樋状の溝列を屋根材１の下層に形成している。
【符号の説明】
【００１９】
１  屋根材
２  野地板
３  ルーフィング
５  通気胴縁
【図１】
2013238004.tif 000003
【図２】
2013238004.tif 000004
【図３】
2013238004.tif 000005
【図４】
2013238004.tif 000006
【図５】
2013238004.tif 000007
【図６】
2013238004.tif 000008
【図７】
2013238004.tif 000009
【図８】
2013238004.tif 000010